(57)【要約】【課題】高速なＤＲＡＭおよび大容量の外部記憶装置を搭載することなく、高解像度で高品位な映像の記録を高速に行うことのできる情報記録再生装置を提供する。【解決手段】外部記憶装置である第１の記憶部に格納された第１のビットストリームを読み出して、第１の記憶部よりも高速アクセス可能な第２の記憶部を使用してデコードを行う第１のデコード部１０３と、第２の記憶部を使用して第１のデコード部１０３のデコード結果をエンコードし第２のビットストリームを生成し、第１の記憶部に格納するエンコード部１０４と、第２の記憶部を使用して第２のビットストリームのデコードを行う第２のデコード部１０６と、デコードされたデータを出力する出力部１０７と、第１のデコード部１０３と第２のデコード部１０６とエンコード部１０４との処理速度の切り替えを行う処理速度切り替え部１０９とを備える。【選択図】図１
2008258726.tif 000002
【特許請求の範囲】
【請求項１】
デジタル放送波を受信する受信部と、
前記受信部で受信した前記デジタル放送波に含まれる第１のビットストリームを格納する第１の記憶部と、
前記第１の記憶部よりも高速にデータアクセス可能な第２の記憶部と、
前記第１の記憶部に格納された前記第１のビットストリームを読み出して、前記第２の記憶部をワーク領域として使用してデコードを行う第１のデコード部と、
前記第１のデコード部のデコード結果に対して、前記第２の記憶部をワーク領域として使用してエンコードを行うことにより第２のビットストリームを生成し、当該第２のビットストリームを前記第１の記憶部に格納するエンコード部と、
前記第１の記憶部から前記第２のビットストリームを読み出して、前記第２の記憶部をワーク領域として使用して前記第２のビットストリームのデコードを行う第２のデコード部と、
前記第２のデコード部でデコードされたデータを、前記第２の記憶部をワーク領域として使用してフィルタリングを行なって出力する出力部と、
前記第１のビットストリームまたは前記第２のビットストリームの再生状態または記録状態に基づいて、前記第１のデコード部と前記第２のデコード部と前記エンコード部との処理速度の切り替えを行う処理速度切り替え部とを備える
情報記録再生装置。
【請求項２】
前記情報記録再生装置は、さらに、前記第１の記憶部に格納された前記第１のビットストリームと前記第２のビットストリームを選択的に読み出して、前記第２のデコード部に供給する選択部を備え、
前記第２のデコード部は、前記選択部より供給される前記第１のビットストリームおよび前記第２のビットストリームのいずれか一方をデコードする
請求項１に記載の情報記録再生装置。
【請求項３】
前記選択部は、前記第２のビットストリームを前記第１の記憶部から読み出しながら、前記第２のデコード部に供給し、前記第２のビットストリームの終端の読み出しが完了した後に、前記第１のビットストリームを前記第１の記憶部から読み出しながら前記第２のデコード部に供給する
請求項２に記載の情報記録再生装置。
【請求項４】
前記第１の記憶部に格納された前記第１のビットストリームのうち前記エンコード部によるエンコードが完了した区間のビットストリームが所定のデータ量ごとに削除される
請求項１〜３のいずれか１項に記載の情報記録再生装置。
【請求項５】
前記処理速度切り替え部は、前記出力部の処理速度に応じて前記第２のデコード部の処理速度を切り替える
請求項１〜４のいずれか１項に記載の情報記録再生装置。
【請求項６】
前記処理速度切り替え部は、前記第２のデコード部がデコードを行なっているビットストリームの種類に基づいて、前記第１のデコード部および前記エンコード部の処理速度を切り替える
請求項１〜４のいずれか１項に記載の情報記録再生装置。
【請求項７】
前記処理速度切り替え部は、前記出力部が行なっているフィルタリングに基づいて、前記第１のデコード部および前記エンコード部の処理速度を切り替える
請求項１〜４のいずれか１項に記載の情報記録再生装置。
【請求項８】
デジタル放送波を受信する受信部と、
前記受信部で受信した前記デジタル放送波に含まれる第１のビットストリームを格納する第１の記憶部と、
前記第１の記憶部よりも高速にデータアクセス可能な第２の記憶部と、
前記第１の記憶部に格納された前記第１のビットストリームを読み出して、前記第２の記憶部をワーク領域として使用してデコードを行い、かつ前記第１の記憶部から第２のビットストリームを読み出して、前記第２の記憶部をワーク領域として使用して、前記第２のビットストリームのデコードを行うデコード部と、
前記デコード部での前記第１のビットストリームのデコード結果に対して、前記第２の記憶部をワーク領域として使用してエンコードを行うことにより前記第２のビットストリームを生成し、当該第２のビットストリームを前記第１の記憶部に格納するエンコード部と、
前記デコード部でデコードされたデータを、前記第２の記憶部をワーク領域として使用してフィルタリングを行なって出力する出力部と、
前記第１のビットストリームまたは前記第２のビットストリームの再生状態または記録状態に基づいて、前記デコード部における前記第１のビットストリームのデコード処理と、前記デコード部における前記第２のビットストリームのデコード処理と、前記エンコード部におけるエンコード処理との処理速度の切り替えを行う処理速度切り替え部とを備え、
前記デコード部は、前記第１のビットストリームのデコード処理と、前記第２のビットストリームのデコード処理とを時分割で行なう
情報記録再生装置。
【請求項９】
外部に設けられた第１の記憶部に格納された第１のビットストリームを読み出して、外部に設けられた前記第１の記憶部よりも高速にデータアクセス可能な第２の記憶部をワーク領域として使用してデコードを行う第１のデコード部と、
前記第１のデコード部のデコード結果に対して、前記第２の記憶部をワーク領域として使用してエンコードを行うことにより第２のビットストリームを生成し、当該第２のビットストリームを前記第１の記憶部に格納するエンコード部と、
前記第１の記憶部から前記第２のビットストリームを読み出して、前記第２の記憶部をワーク領域として使用して前記第２のビットストリームのデコードを行う第２のデコード部と、
前記第２のデコード部でデコードされたデータを、前記第２の記憶部をワーク領域として使用してフィルタリングを行なって出力する出力部と、
前記第１のビットストリームまたは前記第２のビットストリームの再生状態または記録状態に基づいて、前記第１のデコード部と前記第２のデコード部と前記エンコード部との処理速度の切り替えを行う処理速度切り替え部とを備える
情報記録再生回路。
【請求項１０】
前記情報記録再生回路は、さらに、前記第１の記憶部に格納された前記第１のビットストリームと前記第２のビットストリームを選択的に読み出して、前記第２のデコード部に供給する選択部を備え、
前記第２のデコード部は、前記選択部より供給される前記第１のビットストリームおよび前記第２のビットストリームのいずれか一方をデコードする
請求項９に記載の情報記録再生回路。
【請求項１１】
前記選択部は、前記第２のビットストリームを前記第１の記憶部から読み出しながら、前記第２のデコード部に供給し、前記第２のビットストリームの終端の読み出しが完了した後に、前記第１のビットストリームを前記第１の記憶部から読み出しながら前記第２のデコード部に供給する
請求項１０に記載の情報記録再生回路。
【請求項１２】
前記第１の記憶部に格納された前記第１のビットストリームのうち前記エンコード部によるエンコードが完了した区間のビットストリームが所定のデータ量ごとに削除される
請求項９〜１１のいずれか１項に記載の情報記録再生回路。
【請求項１３】
前記処理速度切り替え部は、前記出力部の処理速度に応じて前記第２のデコード部の処理速度を切り替える
請求項９〜１２のいずれか１項に記載の情報記録再生回路。
【請求項１４】
前記処理速度切り替え部は、前記第２のデコード部がデコードを行なっているビットストリームの種類に基づいて、前記第１のデコード部および前記エンコード部の処理速度を切り替える
請求項９〜１２のいずれか１項に記載の情報記録再生回路。
【請求項１５】
前記処理速度切り替え部は、前記出力部が行なっているフィルタリングに基づいて、前記第１のデコード部および前記エンコード部の処理速度を切り替える
請求項９〜１２のいずれか１項に記載の情報記録再生回路。
【請求項１６】
外部に設けられた第１の記憶部に格納された第１のビットストリームを読み出して、外部に設けられた前記第１の記憶部よりも高速にデータアクセス可能な第２の記憶部をワーク領域として使用してデコードを行い、かつ前記第１の記憶部から第２のビットストリームを読み出して、前記第２の記憶部をワーク領域として使用して、前記第２のビットストリームのデコードを行うデコード部と、
前記デコード部での前記第１のビットストリームのデコード結果に対して、前記第２の記憶部をワーク領域として使用してエンコードを行うことにより前記第２のビットストリームを生成し、当該第２のビットストリームを前記第１の記憶部に格納するエンコード部と、
前記デコード部でデコードされたデータを、前記第２の記憶部をワーク領域として使用してフィルタリングを行なって出力する出力部と、
前記第１のビットストリームまたは前記第２のビットストリームの再生状態または記録状態に基づいて、前記デコード部における前記第１のビットストリームのデコード処理と、前記デコード部における前記第２のビットストリームのデコード処理と、前記エンコード部におけるエンコード処理との処理速度の切り替えを行う処理速度切り替え部とを備え、
前記デコード部は、前記第１のビットストリームのデコード処理と、前記第２のビットストリームのデコード処理とを時分割で行なう
情報記録再生回路。
【発明の詳細な説明】
【技術分野】
【０００１】
本発明は映像、音声などの符号化ビットストリームを記録・再生する情報記録再生装置および情報記録再生回路に関するものである。
【背景技術】
【０００２】
近年、高精細な解像度を有するＨＤＴＶ（High Definition TeleVision）方式のデジタル放送が主流になりつつある。ＨＤＴＶ方式は高精細で高品位な映像ではあるが、記録媒体に記録する際には、情報量が多いため、記録に要する媒体の記憶容量も多くなる。そのため、ＨＤＴＶ方式のデジタル伝送方式であるＭＰＥＧ（Moving Picture Experts Group）２に比べて２倍以上の圧縮効率を有するＨ．２６４で再エンコードすることで、高解像度と高品位を維持しつつ、低容量で長時間の記録を行いたいという要求がある（たとえば、特許文献１参照。）。
【特許文献１】特開２００３−３２４６８０号公報
【発明の開示】
【発明が解決しようとする課題】
【０００３】
しかしながら、Ｈ．２６４のデコードやエンコードはＭＰＥＧ２のデコードやエンコードに比べて、大きなＤＲＡＭ（Dynamic Random Access Memory）のバンド幅が必要となる。このため、Ｈ．２６４のビットストリームを再生しながらデジタル放送をＨ．２６４方式で再エンコードし、記録を行うためには、高速なデータ転送が可能なＤＲＡＭが必要となる。よって、情報記録再生装置のコストの増加につながる。
【０００４】
そこで、デジタル放送のＭＰＥＧ２ストリームをそのまま外部記憶装置に一旦記録しておき、その後、情報記録再生装置が再生を行わない待機状態でＨ．２６４の再エンコードを行う方式もある。しかし、この場合、再エンコードが完了するまでに時間がかかり、再エンコード待ちのＭＰＥＧ２ストリームを蓄積するための外部記憶装置の領域も必要となる。
【０００５】
そこで、本発明は、上述の課題を解決するためになされたものであり、高速なＤＲＡＭおよび大容量の外部記憶装置を搭載することなく、高解像度で高品位な映像の記録を高速に行うことのできる情報記録再生装置を提供することを目的とする。
【課題を解決するための手段】
【０００６】
本発明のある局面に係る情報記録再生装置は、デジタル放送波を受信する受信部と、前記受信部で受信した前記デジタル放送波に含まれる第１のビットストリームを格納する第１の記憶部と、前記第１の記憶部よりも高速にデータアクセス可能な第２の記憶部と、前記第１の記憶部に格納された前記第１のビットストリームを読み出して、前記第２の記憶部をワーク領域として使用してデコードを行う第１のデコード部と、前記第１のデコード部のデコード結果に対して、前記第２の記憶部をワーク領域として使用してエンコードを行うことにより第２のビットストリームを生成し、当該第２のビットストリームを前記第１の記憶部に格納するエンコード部と、前記第１の記憶部から前記第２のビットストリームを読み出して、前記第２の記憶部をワーク領域として使用して前記第２のビットストリームのデコードを行う第２のデコード部と、前記第２のデコード部でデコードされたデータを、前記第２の記憶部をワーク領域として使用してフィルタリングを行なって出力する出力部と、前記第１のビットストリームまたは前記第２のビットストリームの再生状態または記録状態に基づいて、前記第１のデコード部と前記第２のデコード部と前記エンコード部との処理速度の切り替えを行う処理速度切り替え部とを備える。
【０００７】
この構成によると、処理速度切り替え部において第１のビットストリームのデコード処理の処理速度と、第２のビットストリームのデコード処理の処理速度と、エンコード処理の処理速度とを切り替えている。処理速度を適宜切り替えることにより、各種処理に処理負荷がかかり過ぎないようにすることができる。よって、情報記録再生回路全体としてみた場合に、処理負荷を均一化し、軽減することができる。このため、高速なＤＲＡＭ（第２の記憶部）を搭載することなく、高解像度で高品位な映像の記録を高速に行うことができる。また、速度切り替えを行なうことにより、第１のビットストリームまたは第２のビットストリームのデコード処理を実行しながら、エンコード部を稼動させることができる。このため、大容量の外部記憶装置（第１の記憶部）を搭載することなく、高解像度で高品位な映像の記録を高速に行うことができる。
【０００８】
好ましくは、前記第１の記憶部に格納された前記第１のビットストリームのうち前記エンコード部によるエンコードが完了した区間のビットストリームが所定のデータ量ごとに削除される。
【０００９】
不要になった区間の第１のビットストリームを第１の記憶部より削除している。このため、第１の記憶部の容量を小さくすることができる。よって、大容量の外部記憶装置を搭載することなく、高解像度で高品位な映像の記録を高速に行うことができる。
【００１０】
なお、本発明は、このような特徴的な手段を備える情報記録再生装置として実現することができるだけでなく、情報記録再生装置に含まれる特徴的な手段をステップとする情報記録再生方法として実現したり、情報記録再生方法に含まれる特徴的なステップをコンピュータに実行させるプログラムとして実現したりすることもできる。そして、そのようなプログラムは、ＣＤ−ＲＯＭ（Compact Disc-Read Only Memory）等の記録媒体やインターネット等の通信ネットワークを介して流通させることができるのは言うまでもない。
【発明の効果】
【００１１】
本発明の情報記録再生装置によれば高速なＤＲＡＭや大容量の外部記憶装置を搭載することなく、高解像度で高品位な映像の記録を高速に行うことのできる情報記録再生装置を提供することができる。
【発明を実施するための最良の形態】
【００１２】
以下、本発明の実施の形態について図面を参照しながら説明する。
【００１３】
（実施の形態１）
図１は、本発明の実施の形態１における情報記録再生装置の構成図である。
【００１４】
情報記録再生装置は、受信部１０１、第１の記憶部１０２、第１のデコード部１０３、エンコード部１０４、選択部１０５、第２のデコード部１０６、出力部１０７、第２の記憶部１０８および処理速度切り替え部１０９から構成される。
【００１５】
第１の記憶部１０２は、ＨＤＤ（Hard Disk Drive）である。
第２の記憶部１０８は、ＤＲＡＭである。
【００１６】
受信部１０１は、外部入力端子１１２からＨＤＴＶ方式のデジタル放送を受信し、選局、デジタル復調、誤り訂正などの処理を行い、得られた第１のビットストリーム１１０を第１の記憶部１０２に格納する。
【００１７】
第１のデコード部１０３は、第１の記憶部１０２から第１のビットストリーム１１０を読み出して、デスクランブル処理、ＰＥＳ（Packetized Elementary Stream）パケットの抽出、オーディオデコード処理、ビデオデコード処理を行い、デコードしたオーディオ信号とビデオ信号とをエンコード部１０４に供給する。
【００１８】
エンコード部１０４は、オーディオ信号とビデオ信号とを、それぞれＡＣ−３（Audio Code number 3）方式のデータとＨ．２６４方式のデータとに再エンコードし、多重化処理、著作権保護処理を行い、得られた第２のビットストリーム１１１を第１の記憶部１０２に格納する。
【００１９】
選択部１０５は、第１の記憶部１０２に記憶されている第１のビットストリーム１１０および第２のビットストリーム１１１のうちから一方を選択し、第２のデコード部１０６に供給する。選択部１０５は、最初、第２のデコード部１０６へ第２のビットストリーム１１１を供給する。第２のデコード部１０６へ供給できる第２のビットストリーム１１１がなくなった時点で、選択部１０５は、第１のビットストリーム１１０の第２のデコード部１０６への供給を開始する。
【００２０】
第２のデコード部１０６は、選択部１０５より供給された第１のビットストリーム１１０または第２のビットストリーム１１１に対してデスクランブル処理、ＰＥＳパケットの抽出、オーディオデコード処理、ビデオデコード処理を行い、デコードしたオーディオ信号とビデオ信号とを出力部１０７に供給する。
【００２１】
出力部１０７は、オーディオ信号に対してはゲイン調整処理、音響効果付加処理等のフィルタリング処理行なう。また、出力部１０７は、ビデオ信号に対しても画角調整処理、ノイズ除去処理、インターレース−プログレッシブ変換処理等のフィルタリング処理を行う。出力部１０７は、フィルタリング処理が施されたオーディオ信号およびビデオ信号を外部出力端子１１３へ出力する。
【００２２】
また容量を節約するために第１の記憶部に格納された第１のビットストリームのうちエンコード部１０４によるエンコードが完了した区間のビットストリームが定期的に削除される。本実施の形態では１０ＭＢ単位で削除処理が行なわれる。なお、削除処理は、情報記録再生装置の外部または内部に設けられた図示しないマイクロコンピュータにより行なわれる。
【００２３】
第１のデコード部１０３、エンコード部１０４、第２のデコード部１０６、出力部１０７の各ブロックは、第２の記憶部１０８をワーク領域およびブロック間のデータの受け渡しに使用する。
【００２４】
第１のデコード部１０３は、第２の記憶部１０８に配置された第１のオーディオデコードビットバッファ領域、第１のビデオデコードビットバッファ領域、第１のデコード制御情報領域、第１のＰＣＭ（Pulse Code Modulation）データ領域、第１のフレームメモリ領域にアクセスし、第１のＰＣＭデータ領域、第１のフレームメモリ領域を経由して、エンコード部１０４にオーディオ信号とビデオ信号とを供給する。
【００２５】
エンコード部１０４は、第１のデコード部１０３より供給されるオーディオ信号とビデオ信号とをエンコードする際に、第２の記憶部１０８に配置された第１のＰＣＭデータ領域、第１のフレームメモリ領域、エンコード制御情報領域、オーディオエンコードビットバッファ領域、ビデオエンコードビットバッファ領域にアクセスする。
【００２６】
第２のデコード部１０６は、第２の記憶部１０８に配置された第２のオーディオデコードビットバッファ領域、第２のビデオデコードビットバッファ領域、第２のデコード制御情報領域、第２のＰＣＭデータ領域、第２のフレームメモリ領域にアクセスし、第２のＰＣＭデータ領域、第２のフレームメモリ領域を経由して、出力部１０７にオーディオ信号とビデオ信号とを供給する。
【００２７】
出力部１０７は、第２の記憶部に配置された第２のＰＣＭデータ領域、第２のフレームメモリ領域、オーディオフィルタ処理領域、ビデオフィルタ処理領域にアクセスする。
【００２８】
図２は、第１のデコード部１０３、エンコード部１０４、第２のデコード部１０６および出力部１０７が１倍速で動作する場合に必要となる第２の記憶部１０８のメモリバンド幅を示す図である。１倍速とは、第１のビットストリーム１１０が再生されるべき速度のことである。
【００２９】
第１のデコード部１０３とエンコード部１０４で行う変換の変換速度は、割り当てられるバンド幅を増減することで変動し、動作速度とバンド幅とはほぼリニアな関係にある。第１のビットストリームから出力部１０７の出力に変換するための変換速度は、第１のデコード部１０３と第２のデコード部１０６とエンコード部１０４と出力部１０７とに割り当てるトータルのバンド幅と、第２のデコード部１０６のバンド幅と、出力部１０７のバンド幅とから以下の計算式で決定される。
【００３０】
バンド幅で制限される変換速度＝
（トータルバンド幅−第２のデコード部１０６のバンド幅−出力部１０７のバンド幅）／（第１のデコード部１０３のバンド幅＋エンコード部１０４のバンド幅）
【００３１】
ただし、変換速度は、第１のデコード部１０３に供給するデータの速度や、第１のデコード部１０３およびエンコード部１０４の最大速度によっても制限される。このため第１のビットストリームが十分にない場合には、変換速度は１倍速に制限される。また本実施の形態では、第１のデコード部１０３とエンコード部１０４とには、最大１．２５倍速の処理速度のものを使用する。
【００３２】
次に、処理速度切り替え部１０９について説明する。処理速度切り替え部１０９は、情報記録再生装置の動作状態に応じて、第１のデコード部１０３、第２のデコード部１０６およびエンコード部１０４の処理速度の切り換えを行う。本実施の形態では再生の品質を保証するために、第２のデコード部１０６の処理速度を１倍速に固定し、第１のデコード部１０３とエンコード部１０４とで行なわれる処理の処理速度の切り替えのみを行う。情報記録再生装置の状態としては、（１）再生停止中の状態で、かつ第１のビットストリームが十分にない場合と、（２）再生停止中の状態で、かつ第１のビットストリームが十分にある場合と、（３）第１のビットストリームを再生中の状態と、（４）第２のビットストリームを再生中の状態との合計４状態である。なお、再生停止中の状態とは、第１のデコード部１０３およびエンコード部１０４が動作し、第２のデコード部１０６および出力部１０７が停止している状態である。すなわち、第１のビットストリーム１１０から第２のビットストリーム１１１への変換処理が行なわれている状態である。
【００３３】
図３に各再生状態のバンド幅で制限される変換速度の計算式と実際の変換速度とを示す。例えば、上述の（１）の状態では、バンド幅で制限される変換速度は２．２５倍速であるのに対し、実際の変換速度は１倍速であることが示されている。
【００３４】
図４は、本発明の実施の形態１に係る情報記録再生装置の動作例を示すタイミングチャートである。
【００３５】
第１の処理期間では、受信部１０１がデジタル放送の受信を開始し、同時に、第１のデコード部１０３およびエンコード部１０４がＭＰＥＧ２方式の第１のビットストリーム１１０からＨ．２６４方式の第２のビットストリーム１１１への変換処理を開始する。この状態を第１の再生状態とし、１倍速で変換処理が行なわれる。第１の再生状態は、上述の（１）の状態に対応する。
【００３６】
第２の処理期間では、第２のデコード部１０６がＨ．２６４方式の第２のビットストリーム１１１の再生を開始する。この状態を第２の再生状態とし、変換速度を１倍速から０．５倍速に切り替える。第２の再生状態は、上述の（４）の状態に対応する。
【００３７】
第３の処理期間では、Ｈ．２６４の再生が変換に追いついてしまったため、ＭＰＥＧ２方式の第１のビットストリーム１１０の再生に切り替える。この状態を第３の再生状態とし、変換速度を０．５倍速から０．７５倍速に変更する。第３の再生状態は、上述の（３）の状態に対応する。
【００３８】
第４の処理期間では、ビットストリームの再生を停止する。この状態を第４の再生状態とし、変換速度を０．７５倍から１．２５倍に切り替える。第４の再生状態は、上述の（２）の状態に対応する。
【００３９】
次に、各再生状態における第１のデコード部１０３と第２のデコード部１０６とエンコード部１０４との動作を説明する。
【００４０】
第１の再生状態では、図５に示すように、第１のデコード部１０３とエンコード部１０４とは、ＮＴＳＣ（National Television Standards Committee）方式の１フレーム期間である３３ｍｓごとに１フレームの処理を行う。
【００４１】
第２の再生状態では図６に示すように、第１のデコード部１０３とエンコード部１０４とは、２フレーム期間である６７ｍｓごとに１フレームの処理を行い、第２のデコード部１０６は、３３ｍｓごとに１フレームの処理を行う。
【００４２】
第３の再生状態では、図７に示すように、第１のデコード部１０３とエンコード部１０４とは、４０ｍｓごとに１フレームの処理を行い、第２のデコード部１０６は、３３ｍｓごとに１フレームの処理を行う。
【００４３】
第４の再生状態では、図８に示すように、第１のデコード部１０３とエンコード部１０４とは、２４ｍｓごとに１フレームの処理を行い、第２のデコード部１０６は、３３ｍｓごとに１フレームの処理を行う。
【００４４】
以上説明したように、本実施の形態によると、２つのデコード部を備えているため、再生用のデコードと記録用のデコードとを並行して行なうことができる。このため、高速なＤＲＡＭおよび大容量の外部記憶装置を搭載することなく、高解像度で高品位な映像の記録を高速に行うことのできる情報記録再生装置を提供することができる。
【００４５】
また、処理速度切り替え部において、再生状態に基づいて、第１のデコード部１０３と、第２のデコード部１０６と、エンコード部１０４との処理速度を切り替えている。すなわち、第１のビットストリーム１１０から第２のビットストリーム１１１への変換処理と、第１のビットストリーム１１０または第２のビットストリーム１１１の再生処理とが並行して実行される。その際、第２のビットストリーム１１１が再生可能な場合には第２のビットストリーム１１１を再生し、再生不可能な場合には第１のビットストリーム１１０を再生するようにしている。また、再生処理の処理速度に応じて、変換処理の処理速度を決定している。このため、変換処理の処理速度を最大限に引き出すことができ、変換処理を高速に行なうことができる。
【００４６】
（実施の形態２）
次に、本発明の実施の形態２に係る情報記録再生装置について説明を行なう。
【００４７】
実施の形態２に係る情報再生記録装置は、図１に示した実施の形態１に係る情報記録再生装置の構成において、第１のデコード部１０３と第２のデコード部１０６とを、１つのより高速な共用の第３のデコーダ部として構成したものである。すなわち、ＭＰＥＧ２をデコードする回路を１つにして第３のデコード部を構成したものである。
【００４８】
第３のデコード部は、ＮＴＳＣの１フレーム期間を再生用のデコード処理期間と記録用のデコード処理期間とに分割する。第３のデコード部は、１つの処理期間で１フレームの再生用のデコードを行なう。また、第３のデコード部は、複数の処理期間で１フレームの記録用のデコードを行なう。再生用のデコードの処理期間と記録用のデコードの処理期間との割合は、実施の形態１における第１のデコード部１０３と第２のデコード部１０６とで使用するバンド幅の割合に合わせればよい。
【００４９】
第１の再生状態では、図９に示すように、第３のデコード部の処理のすべてを記録用のデコードに割り当てる。なお、記録用のデコードとは、実施の形態１における第１のデコード部１０３が行なっていた処理のことである。
【００５０】
第２の再生状態では、図１０に示すように、ＮＴＳＣ方式の１フレーム期間を４：３に分割して、前半を再生用のデコード、後半を記録用のデコードにあてる。なお、再生用のデコードとは、実施の形態１における第２のデコード部１０６が行なっていた処理のことである。
【００５１】
第３の再生状態では、図１１に示すように、１フレーム期間を３：１に分割し、前半を再生用のデコード、後半を記録用のデコードにあてる。
【００５２】
第４の再生状態では、図１２に示すように、第３のデコード部の処理のすべてを記録用のデコードに割り当てる。
【００５３】
以上の構成によれば再生用のデコード部と記録用のデコード部とを共用することができる。このため、低コストのシステムを構築することができる。
【００５４】
以上、本発明に係る情報記録再生装置について、実施の形態に基づいて説明を行なったが、本発明は上述の実施の形態に限定されるものではない。
【００５５】
例えば、上述の実施の形態ではエンコード部１０４は一度に１つのストリームのエンコードを想定しているが、より高速なエンコーダを使用して複数のストリームを時分割で処理してもよい。これにより複数チャンネルのデジタル放送を受信してリアルタイムで再エンコード記録が可能となる。
【００５６】
また、上述の実施の形態ではエンコード部１０４の処理速度を最大１．２５倍のものを使用しているが、再生を多用する場合はエンコードの速度が０．５から０．７５倍速に制限されるので、最大０．７５倍速で動作可能なエンコーダを使用してもよい。このように低速のエンコーダを使用することでコストを下げることができる。
【００５７】
さらに、上述の実施の形態ではＭＰＥＧ２方式からＨ．２６４方式へのストリーム変換を想定しているが、その他のフォーマット間のストリーム変換であってもよい。
【００５８】
さらにまた、上述の実施の形態では第２のデコード部１０６および出力部１０７のバンド幅は固定の値を使用しているが、例えば、通常再生モード、高速再生モード、低画質モード、高画質モード等モード別にバンド幅の値を用意してもよい。
【００５９】
また、上述の実施の形態ではデジタル放送を受信する構成を取っているが、光ディスク、フラッシュメモリなどであってもよい。このような蓄積のメディアでは供給速度を調整できるので、第１の記憶部１０２に格納せずに、直接、第１のデコード部１０３に供給してもよい。また光ディスクやフラッシュメモリはデータを第１の記憶部１０２（外部記憶装置）に格納してしまえば、別の光ディスクやフラッシュメモリに交換可能である。
【００６０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００６１】
本発明は情報記録再生装置に適用でき、特に、デジタル放送に含まれるビットストリームを圧縮効率の良いビットストリームに変換する情報記録再生装置等に適用できる。
【図面の簡単な説明】
【００６２】
【図１】本発明の実施の形態１における情報記録再生装置の構成図である。
【図２】本発明の実施の形態１における第１のデコード部とエンコード部と第２のデコード部と出力部とのバンド幅を示す図である。
【図３】本発明の実施の形態１における各動作モードにおける変換速度を示す図である。
【図４】本発明の実施の形態１のタイミングチャートである。
【図５】本発明の実施の形態１の動作状態１のタイミングチャートである。
【図６】本発明の実施の形態１の動作状態２のタイミングチャートである。
【図７】本発明の実施の形態１の動作状態３のタイミングチャートである。
【図８】本発明の実施の形態１の動作状態４のタイミングチャートである。
【図９】本発明の実施の形態２の動作状態１のタイミングチャートである。
【図１０】本発明の実施の形態２の動作状態２のタイミングチャートである。
【図１１】本発明の実施の形態２の動作状態３のタイミングチャートである。
【図１２】本発明の実施の形態２の動作状態４のタイミングチャートである。
【符号の説明】
【００６３】
１０１  受信部
１０２  第１の記憶部
１０３  第１のデコード部
１０４  エンコード部
１０５  選択部
１０６  第２のデコード部
１０７  出力部
１０８  第２の記憶部
１０９  処理速度切り替え部
１１０  第１ビットストリーム
１１１  第２ビットストリーム
１１２  外部入力端子
１１３  外部出力端子
【図１】
2008258726.tif 000003
【図２】
2008258726.tif 000004
【図３】
2008258726.tif 000005
【図４】
2008258726.tif 000006
【図５】
2008258726.tif 000007
【図６】
2008258726.tif 000008
【図７】
2008258726.tif 000009
【図８】
2008258726.tif 000010
【図９】
2008258726.tif 000011
【図１０】
2008258726.tif 000012
【図１１】
2008258726.tif 000013
【図１２】
2008258726.tif 000014